(57)【要約】【課題】  冷温水循環により、放熱体で輻射冷暖房を行う冷暖房システムに、新規な気液熱交換器を採用した換気システムを合理的に組み込んで、放熱体表面の結露を抑制した除湿型冷暖房換気システムを得る。【解決手段】  冷温水を作成する熱源機２から、循環ポンプ３によって放熱体４ａに冷温水を循環させる放熱回路４に対し、放熱回路４の往き側ヘッダー６ａまでの往き側配管６ｓ´から分流して、気液熱交換器５を経て放熱回路４の往き側配管６ｓ´に還流循環する冷温水循環回路６を付設し、気液熱交換器５を機械式換気システムの給気経路中に配置し、放熱回路４で放熱体４ａに輻射冷暖房させると共に、同時に冷温水循環回路６で気液熱交換器５に冷却除湿作用させて、居室内の低温低湿空気により放熱体４ａ表面の結露を抑制する。【選択図】    図１
2014163528.tif 000002
【特許請求の範囲】
【請求項１】
冷温水を作成する熱源機（２）から、循環ポンプ（３）により、往き側ヘッダー（６ａ）を経て放熱体（４ａ）、戻り側ヘッダー（６ｂ）、熱源機（２）へと循環する放熱回路（４）に対し、放熱回路（４）の往き側配管（６ｓ´）の循環ポンプ（３）下流の第１分岐点（Ｐ１）から分流して、気液熱交換器（５）を経て、放熱回路（４）の往き側配管（６ｓ´）に還流復帰する冷温水循環回路（６）を付設し、気液熱交換器（５）を機械式換気システムの給気経路中に配置して、放熱体（４ａ）及び気液熱交換器（５）を、居室内の温湿度、放熱回路（４）及び冷温水循環回路（６）の温度、流量を調整して運転する冷暖房換気システム。
【請求項２】
給気経路中の気液熱交換器（５）の下流に加湿装置（１６）を配置し、冷温水循環回路（６）から電磁弁（６Ｃ２）を介して分岐した加湿回路（６０）で加湿装置（１６）を作動させる、請求項１に記載の冷暖房換気システム。
【請求項３】
加湿装置（１６）は、長方形の角筒形態で、船底面（１６ｄ´）を備えた下部ケーシング（１６ｄ）と、蓋形態の上部ケーシング（１６ｕ）とから成り、上部ケーシング（１６ｕ）は、加湿回路（６０）と連通する上部の直管（１６ａ）から先端に噴霧ノズル（１６ｂ）を備えた複数の枝管（１６ｃ）が貫入し、下部ケーシング（１６ｄ）は、前端の給気側接続口（１６ｓ）と後端の供給側接続口（１６ｒ）とを備え、船底面（１６ｄ´）の過半に亘る切欠（１６ｍ）に底蓋（１６ｅ）を着脱自在に装着すると共に、供給側接続口（１６ｒ）の前面には、水滴放出防止用のエリミネーター板（１６ｐ）を、エリミネーター板（１６ｐ）の下方にはドレンパイプ（１６ｇ）を備えている、請求項２に記載の冷暖房換気システム。
【請求項４】
気液熱交換器（５）で熱交換された給気空気（ａ１０）を放熱体（４ａ）に吹き付ける、請求項１又は２、又は３に記載の冷暖房換気システム。
【請求項５】
放熱体（４ａ）の上部にダクト管（１１ａ）と接続した接続ボックス（１１Ｊ）を配置し、気液熱交換器（５）を経由した給気空気（ａ１０）を、接続ボックス（１１Ｊ）の調節羽根（１４ｆ）を備えた放熱体吹出口（１４ｃ）から放熱体（４ａ）に吹き付ける、請求項４に記載の冷暖房換気システム。
【請求項６】
気液熱交換器（５）は、長手の筒本体（５ａ）の前後をダクト管（１１ａ）に接続し、筒本体（５ａ）内には、冷温水循環回路（６）に接続した冷温水コイル（５ｂ）を上下中間層の長手方向に配置して後部下面にはドレンパイプ（５ｇ）を垂下し、冷温水コイル（５ｂ）の前端下面は下側風偏向板（５ｄ）で閉止し、冷温水コイル（５ｂ）の上面は、後端を上側風偏向板（５ｕ１）で閉止すると共に、後方から前方へ、順次通過風量を増大させる風偏向板群上側（５ｕ２〜５ｕ６）を間隔配置して、供給空気流（ａ４）を冷温水コイル（５ｂ）の前端上部に導入して冷温水コイル（５ｂ）の下面後端から放出する、請求項１乃至５のいずれか１項に記載の冷暖房換気システム。
【請求項７】
機械式換気システムに全熱交換型第一種換気装置（７）を配置し、給気経路中の第一種換気装置（７）の出口側若しくは入口側に気液熱交換器（５）を配置し、気液熱交換器（５）からは、ドレンパイプ（５ｇ）を介してドレン配管（１７ｓ）で勝手口等の土間（１７ｂ）に冷暖房放熱して、排水枡（１７ａ）に排水する、請求項１に記載の冷暖房換気システム。
【請求項８】
ダクト管（１１ａ）で、床下換気口（１５ｃ）からエアーフィルター（１２ｄ）、ダクトファン（１２ｃ）、気液熱交換器（５）を経て吹出口（１４）に亘る換気システムを１階床下に配置し、床下換気口（１５ｃ）から取り入れる給気空気流を、気液熱交換器（５）で処理して床下の各区画空間（Ｅ１〜Ｅ８）に送風して、床下空間を換気すると共に、床下空間から各床換気口（Ｖ）を介して居室内も換気する、請求項１に記載の冷暖房換気システム。
【請求項９】
床下配置のダクト管（１１ａ）から給気用の上り縦ダクト管（１１ａ”）を上階の床（Ｆ）に導き、上階の床換気口（Ｖ）から上階居室を換気する、請求項８に記載の冷暖房換気システム。
【請求項１０】
自然給気口（１３ｂ）から屋外空気を室内に取り入れ、室内吸気口（１５ｂ）からダクトファン（１２ｃ）を介して屋外排気口（１４ａ）で排気する換気システムに於いて、天井の室内吸気口（１５ｂ）から下り縦ダクト管（１１ａ´）を経由して１階床下の給気ダクト管（１１ａ）に至り、床下の給気ダクト管（１１ａ）は、エアーフィルター（１２ｄ）、ダクトファン（１２ｃ）、気液熱交換器（５）を経て吹出口（１４）から１階床下の各区画空間（Ｅ１〜Ｅ８）を換気して、床換気口（Ｖ）から居室内も換気する、請求項１に記載の冷暖房換気システム。
【請求項１１】
床下の給気ダクト管（１１ａ）から上り縦ダクト管（１１ａ”）を経由して天井内給気ダクト管（１１ａ）に至り、天井内給気ダクト管（１１ａ）から床換気口（Ｖ）を介して居室内を換気する、請求項９に記載の冷暖房換気システム。
【発明の詳細な説明】
【技術分野】
【０００１】
本発明は、ヒートポンプやボイラー等の冷温水作成手段で作成した冷温水を輻射式の放熱体に循環させる室内輻射冷暖房システムに、居室内空気を除湿する空気熱交換システムを付加したものであり、詳しくは、熱源機で作成した冷温水を輻射式放熱体に循環させる輻射式の冷暖房システムに、住宅や事務所等での給気の、機械式換気システムを組み合わせて、居室内の冷暖房に除湿機能を付与して冷暖房の効率を向上させ、室内の快適性を向上させる冷暖房換気システムであって、エアーコンディショニングの技術分野に属するものである。
【背景技術】
【０００２】
輻射式の冷暖房システムは、輻射熱伝達により、居室内では、冷房温度が高くても、室温より低い冷涼感が得られ、暖房温度が低くても、室温より高い温和感が得られるため、熱源機器の稼動エネルギーが低減出来て、省エネルギーな冷暖房として知られている。
また、輻射冷暖房は、対流による熱移動が少ないため、エアーコンディショナーのような、気流による不快感は無く、居室内の空気温度斑が少ないので、冷暖房の快適性に優れている。
【０００３】
しかし、夏季等の高温多湿環境にあっては、冷水を輻射放熱体内に、熱源として供給すると、低温化した放熱体近傍の空気が露点以下となり、放熱体の表面には結露が発生して、発生した結露水が近傍の壁や床等に付着し、不快感を与えると共に、カビやダニの発生の原因ともなる問題がある。
このような、輻射式冷暖房システムにおける問題点を解決するために、従来、各種の結露対策技術が提案され、実施されている。
【０００４】
図１１（Ａ）は従来例１の結露対策手段であって、特許文献１で開示されている発明の概略説明図である。
即ち、従来例１（図１１（Ａ））は、図示の如く、圧縮機、室外側熱交換器、減圧装置及び室内側熱交換器を有する冷房回路を備えた空気調和機に於いて、冷媒回路に組み込まれた輻射パネルと、この輻射パネルに取付けた結露センサの出方に応じて、冷媒を室内側熱交換器と輻射パネルとに切り換え供給する制御手段を備えており、輻射パネルの結露状態を結露センサで検出し、その信号に応じて、除湿と輻射空調とを切り換えることにより、冷房時の輻射パネル表面への結露を防止し、水滴の落下による室内の汚染や腐食及びカビの発生を防止するものである。
【０００５】
また、図１１（Ｂ）は、従来例２の除湿機であって、特許文献２で開示された発明の概略説明図である。
即ち、従来例２（図１１（Ｂ））の除湿機は、吸着材である除湿ロータと、室内からの空気を、該除湿ロータの吸着領域を介して室内に戻すための除湿通路と、室内からの空気を、該除湿ロータの再生領域を介して室外に排出するための排気通路と、該排気通路の、上記除湿ロータの上流側に配置して除湿ロータの再生領域に流入する空気を加熱する加熱手段と、上記除湿通路及び排気通路に風を送るファンとを備えている。
【０００６】
この除湿機は、ターボファンによって除湿通路に風を送り、室内からの空気を、吸着材である除湿ロータの吸着領域に通して、室内空気の水分を除湿ロータに吸着させて、除湿された空気を室内に戻す。
また、ターボファンにより排気通路に風を送り、排気通路の除湿ロータの上流側に配置したヒータにより、排気通路を通る空気を加熱した後、加熱空気を除湿ロータの再生領域に通し、吸着材に含まれた水分を脱着して、加湿された空気を室外に排出するものであり、排水作業の必要が無く、水漏れの発生を除き、ヒータ入力の低減出来るものである。
【０００７】
また、図１２（Ａ）は、従来例３のヒートポンプ式輻射パネル用空調機の概略説明図であって、特許文献３として挙げたものであり、冷媒回路は、圧縮機、四方弁、第１水熱交換器、減圧弁、第２水熱交換器、除湿用空気熱交換器、更に四方弁、アキュムレーター及び圧縮機の順に、冷媒が循環する。
また、第１水循環回路が、第１水熱交換器、温水ボイラー、クーリングタワー及び第１循環ポンプから成り、第２水循環回路（冷温水循環回路）が、第２水熱交換器、輻射冷暖房用パネル、及び第２循環ポンプから形成されたものである。
【０００８】
そして、空調機の運転時には、冷媒は、圧縮機で圧縮された後、四方弁を通り、第１水熱交換器で凝縮し、減圧弁を経て減圧され、第２水熱交換器及び除湿用空気熱交換器で蒸発し、四方弁及びアキュムレーターを経由して圧縮機に戻る冷媒回路を循環する。
この間、第２循環ポンプを駆動すると、冷媒は、第２水熱交換器内部で循環水と熱交換し、冷水が第２循環回路の輻射パネルに送水されて輻射冷房に供される。
更に、冷媒は、空気熱交換器で、除湿用ファンによって送風される室内空気と熱交換し、冷却された空気は、強制対流によって冷房に供され、このとき、室内空気の露点温度が空気熱交換器内の冷媒の蒸発温度以上の時は除湿される。
【０００９】
そして、除湿用空気熱交換器での冷媒の蒸発温度を調整して、空気熱交換器で除湿される室内空気の露点温度より、輻射パネルの表面温度は高く設定されるので、輻射パネル表面に結露が発生することはない。
しかし、該輻射パネルと除湿用空気熱交換器とを備えた該空調機にあっては、冷房開始時に、室内空気が所定の温度に低下するまで、強制対流により室内を冷房し、その後、空気熱交換器による弱冷房と、輻射パネルによる輻射冷房とを組み合わせることとなる。
また、暖房運転時には、除湿用ファンの駆動を停止して、空気熱交換器での室内空気との熱交換は実施しない。
【００１０】
また、図１２（Ｂ）は従来例４であって、非特許文献１として挙げた技術手段の概略説明図であり、ルームエアコンとして普及しているものであって、室内の空気をルームエアコン内に吸込み、フィルターやコイルの中を通過させて、吹出口から再び室内に送風するための送風機と、送風機によって導かれた室内空気から熱を奪って冷却し、更に空気中の水分を取除く冷却コイルと、室内空気に熱を加えて暖める電気ヒーターと、空気中のゴミを濾過するエアフィルターと、冷却コイルからの低圧高温の冷媒ガスを圧縮し、高温高圧ガスとしてコンデンサに送る圧縮機と、コンデンサファンによって冷やしてガスを液体に戻す空冷コンデンサと、空冷コンデンサからの冷媒をガス状冷媒にする膨張弁とから成り、膨張弁によって低温低圧となった冷媒は冷媒コイルに送られるもので、該作動サイクルを順次繰返すものである。
【００１１】
また、ケーシング内に収納するサーモスタッドは、室内温度を一定にするもので、夏季は、室内が暑ければ冷凍機（圧縮機、コンデンサ、膨張弁等）を稼動し、寒ければ停止させるもので、冬季は、寒ければ電気ヒーターを稼動し、暑くなれば停止させるものである。
【先行技術文献】
【特許文献】
【００１２】
【特許文献１】特開平０６−２５７８３５号公報
【特許文献２】特開２００２−１０２６４２号公報
【特許文献３】特開２００６−３４９２７０号公報
【非特許文献】
【００１３】
【非特許文献１】（株）オーム社、平成２２年３月２０日、第１版第４２刷発行、小原淳平編「１００万人の空気調和」第１４０頁、第６章「空調方法さまざま」、６．１項、「いちばん簡単な空調方法、図６．１、ルームクーラー」
【発明の概要】
【発明が解決しようとする課題】
【００１４】
従来例１（図１１（Ａ））の空気調和機にあっては、輻射パネルに設置されたセンサにより、冷媒回路に組み込まれた輻射パネルと、室内側熱交換器とを切り換え運転する方法であるが、輻射パイプ表面の結露を検知してから室内側熱交換器に冷媒循環を切り換えても、輻射パネルの表面温度は、直ちに結露を回避する温度まで回復するわけではなく、水滴の落下による室内の汚染や、腐食及びカビの発生を必ずしも回避出来るわけではない。
そして、除湿量を優先するため、冷媒を室内側熱交換器に投入する時間が長くなると、輻射パネルの温度が上昇して輻射効果が低下する問題がある。
【００１５】
また、従来例２（図１１（Ｂ））の除湿換気システムにあっては、ターボファンにより除湿通路に風を送り、室内からの空気を吸着材である除湿ロータの吸着領域に通して、室内空気の水分を除湿ロータに吸着させて除湿された空気を室に戻す一方、ターボファンにより排気通路に風を送り、排気通路の除湿ロータの上流側に配置されたヒータにより、排気通路を通る空気を加熱した後、加熱された空気を除湿ロータの再生領域に通し、吸着材に含まれる水分を脱着して加湿された空気を室外に排出するため、空気を加熱するヒータは消費電力が大となり、除湿器は室外側の外壁面配置となって送風対応の必要もあり、ターボファンの能力が大となるので運転時の騒音も大となる問題を有し、室内への給気温度が除湿時の反応熱で上昇する問題がある。
【００１６】
また、従来例３（図１２（Ａ））のヒートポンプ式輻射パネル用空調機は、冷媒回路の四方弁及び第２水熱交換器間に、除湿用空気熱交換器、除湿用ファンを配置して、除湿用ファンで送風する室内空気を、除湿用空気熱交換器で熱交換冷却するものであり、室内空気の露点温度が空気熱交換器内の冷媒の蒸発温度以上の時、除湿されるものである。
そして、冷房開始時には、室内空気が所定の温度に低下するまで、強制対流により室内を冷房し、その後、空気熱交換器による弱冷房と、輻射パネルによる輻射冷房との協仂冷房となり、空気用及び水用の２回路の設置が必要でコスト面の問題がある。
【００１７】
また、熟練の技術者での作業となり、且つ空調機械室を設置しての維持保守管理技術者も必要となる。
従って、従来例３の空調材は、冷暖房時に、室内が設定温度に達するまでは強制対流が必須で、居室者は床面及び浮遊するゴミ、埃を巻き上げる風を受けることとなり、人身に不快であると共に、ダクトを介しての空気伝播音や固体伝播音による騒音、及び気流や空気分布による温度斑が発生する。
そして、不良導体の空気を熱媒体とするため、熱ロスや経済性の問題がある。
【００１８】
また、従来例４（図１２（Ｂ））のルームエアコンは、手軽に使用出来て、省エネルギー効果も高いが、寒冷地での暖房熱不足、立上りの遅さの問題を有し、強制対流方式であるため、吹付け風による不快感、チリ、埃を巻き上げる衛生上の問題、居室内の温度分布に斑を生ずる問題がある。
そして、該ルームエアコンは、外気を取り入れて室内空気と共に、夏季は、低温低湿にして室内に給気し、冬季は、高温低湿にして室内に給気するため、熱的に非効率である。
しかも、冬季は屋外の乾燥空気を室内に取り入れるため、居室内の湿度に影響を与え、バクテリア、ウィルスの活動を活発にし、居住者に呼吸疾患を招く問題すらある。
本発明は、これら従来の空調システムの各問題を、画期的に解決又は改善し、小規模の戸建住宅から大中規模の共同住宅まで、居室内に、夏季、冬季から中間期まで、居室内を快適な温湿度環境と出来る、新規、且つ実用性の高い、冷暖房換気システムを提供するものである。
【課題を解決するための手段】
【００１９】
本発明の、冷暖房換気システム１は、例えば図１に示す如く、冷温水を作成する熱源機２から、循環ポンプ３により、往き側ヘッダー６ａを経て放熱体４ａ、戻り側ヘッダー６ｂ、熱源機２へと循環する放熱回路４に対し、放熱回路４の往き側配管６ｓ´の循環ポンプ３下流の第１分岐点Ｐ１から分流して、気液熱交換器５を経て、放熱回路４の往き側配管６ｓ´に還流復帰する冷温水循環回路６を付設し、気液熱交換器５を機械式換気システムの給気経路中に配置して、放熱体４ａ及び気液熱交換器５を、居室内の温湿度、放熱回路４及び冷温水循環回路６の温度、流量を調整して運転するものである。
【００２０】
この場合、放熱体４ａは、慣用の、鋼製、アルミニウム製、銅製などの金属製や、プラスチック樹脂製の、パネル状、柵状、パイプ状のものを採用すれば良い。
また、機械式換気システムは、気液熱交換器５内に空気流を強制貫流出来るものであれば良く、慣用の、給気及び排気にそれぞれ送風機と排風機を採用する第一種換気法や、給気のみに送風機を用い排気は換気口などの開口部から押出す第二種換気法や、排気のみに排風機を用い給気は換気口などの開口部から取込む第三種換気法の採用が可能である。
【００２１】
また、気液熱交換器５は、機械式換気システムの給気を貫流させて、貫流空気を、熱交換で冷却除湿又は加熱出来れば良く、慣用の冷温水コイルを内蔵した除湿器でも良いが、典型的には、図３に示す如く、細長円筒本体５ａ内に、冷温水コイル５ｂを長手方向に配置した、新規な気液熱交換器５を採用するのが好ましい。
そして、細長円筒形の気液熱交換器は、前端と後端にレジューサー管５Ｊを介在するだけでダクト管１１ａとの直列接続も可能となり、天井内や床下への配置も可能となり、狭いスペース内での施工も容易となる。
【００２２】
また、放熱回路４への冷温水循環回路６の付設は、例えば図２（Ａ）の流水回路図に示す如く、熱源機２から大径（標準：内径２０．５mm、肉厚３．２５mm）のプラスチック樹脂パイプ（架橋ポリエチレン管：ＪＩＳＫ６７６９）を引出して往き側ヘッダー６ａに接続した往き側配管６ｓ´に於いて、循環ポンプ３の下流の第１分岐点Ｐ１に、Ｔ型ソケット６ｍを配置して、該ソケット６ｍから、小径（標準：内径９．８mm、肉厚１．６mm）のプラスチック樹脂パイプ（架橋ポリエチレン管）を冷温水循環回路６の往き側配管６ｓ”として延出し、気液熱交換器５内を循環させて、冷温水循環回路６の戻り側配管６ｒ”を、放熱回路４の第１分岐点Ｐ１の下流に配置した第２分岐点Ｐ２で、流量調整ソケット１０ｃを介して往き側配管６ｓ´と合流させれば良い。
【００２３】
また、気液熱交換器５に流入する冷温水循環回路６の流量調節は、図２（Ａ）に示す如く、流水計１０ａを目視して放熱回路４上の仕切弁１０ｂの絞り調整で実施すれば良く、気液熱交換器５自体の稼動、停止は、湿度センサー９ｂを備えたヒューミデイスタット９ａの指令で、冷温水循環回路６の流水計１０ａの下流に配置した電磁弁６Ｃ１の開閉作動で実施すれば良い。
【００２４】
従って、本発明は、熱源機２で得られた冷温水を循環ポンプによって循環させて、居室に配置した輻射式の放熱体で、循環冷温水と居室内空気との熱交換により、居室の冷房又は暖房を実施すると共に、同時に、放熱回路４から分岐循環させる冷温水を機械式換気装置（標準：第一種換気装置７）の給気経路中に配置した気液熱交換器５によって、給気空気の除湿又は補助暖房が出来る。
【００２５】
そして、気液熱交換器５の冷温水循環回路６を循環する冷温水は、放熱体４ａへの放熱回路４から分岐して、放熱回路４と同時循環可能であって、水温、流水量は、別個独立的に制御可能であるため、冷房時には、気液熱交換器５は、放熱体４ａよりも、居室内空気の水分除去能力を高く出来て、十分な除湿能力を発揮し、気液熱交換器５を経由して居室内に供給される低温低湿空気は、放熱体４ａの表面結露発生を抑制する。
また、気液熱交換器５は機械式換気システムのダクト内に配置出来るため、換気システムのダクトは従来の方式をそのまま使用出来て、施工が容易な輻射冷暖房換気システムを提供する。
【００２６】
また、本発明の冷暖房換気システム１にあっては、例えば図１に示す如く、給気経路中の気液熱交換器５の下流に加湿装置１６を配置し、冷温水循環回路６から電磁弁６Ｃ２を介して分岐した加湿回路６０で加湿装置１６を作動させるのが好ましい。
この場合、電磁弁６Ｃ２は、慣用の、湿度センサー９ｂを備えたヒューミデイスタット９ａで制御作動させれば良い。
また、加湿装置１６は、慣用の水噴霧ノズルを備えたものであれば良い。
【００２７】
従って、冬季の暖房にあっては、屋外の低温低湿度の空気が暖房によって、更に湿度低下を生ずるが、加湿装置１６は、湿度センサー９ｂで居室内空気の加湿の必要指令を受ければ、電磁弁６Ｃ２を開放して冷温水循環回路６は、加湿用水を加湿回路６０に供給して加湿装置１６を作動させ、気液熱交換器５を通過した加熱空気に、温水を噴霧して加湿するため、居室内の暖房状態の空気に必要な湿度が供給出来、居室内を適切な温湿度と出来る。
【００２８】
また、本発明の加湿装置１６は、図５に示す如く、全体形状が長方形の角筒形態で、船底面１６ｄ´を備えた下部ケーシング１６ｄと、蓋形態の上部ケーシング１６ｕとから成り、上部ケーシング１６ｕは、加湿回路６０と連通する上部の直管１６ａから先端に噴霧ノズル１６ｂを備えた複数の枝管１６ｃが貫入し、下部ケーシング１６ｄは、前端の給気側接続口１６ｓと後端の供給側接続口１６ｒとを備え、船底面１６ｄ´の過半に亘る切欠１６ｍに底蓋１６ｅを着脱自在に装着すると共に、供給側接続口１６ｒの前面には、水滴放出防止用のエリミネーター板１６ｐを、エリミネーター板１６ｐの下方にはドレンパイプ１６ｇを備えたものが好ましい。
【００２９】
この場合、上部ケーシング１６ｕと下部ケーシング１６ｄ、下部ケーシング１６ｄと底蓋１６ｅ相互は、ねじ手段で着脱自在とすれば良い。
従って、加湿装置１６は、前端及び後端の接続口１６ｓ，１６ｒのダクト管１１ａへの嵌合接続により、長手角筒形態と相俟って、機械式換気装置の給気経路内への配置が自在であり、底蓋１６ｅを開けてノズル１６ｂの調整又は取替え、及びケーシング内の清掃が可能となり、噴霧ノズル１６ｂからの飛散水滴の供給側からの給気空気流への混入も、エリミネーター板１６ｐで好適に抑制出来、気液熱交換器５から流入する高温低湿空気を必要湿度に加湿出来る。
【００３０】
また、本発明の冷暖房換気システムにあっては、気液熱交換器５で熱交換された給気空気ａ１０を放熱体４ａに吹き付けるのが好ましい。
この場合、給気空気ａ１０の吹出口は、放熱体４ａに対して、自在に位置選択すれば良いが、給気空気ａ１０は、放熱体４ａの全表面に亘って吹き付けるのが、特に好ましい。
【００３１】
従って、給気空気ａ１０の放熱体４ａへの吹き付けは、夏季の冷房時にあっては、除湿した空気が放熱体４ａの表面を流れることにより、放熱体表面近傍の空気の絶対湿度を下げて結露防止となると共に、放熱体４ａ周面に滞留する空気層に撹拌作用を加えて、対流熱伝達を促進し、冬季にあっても、補助暖房としての空気流ａ１０が、放熱体４ａの表面の対流空気層を撹拌して対流熱伝達を促進する。
【００３２】
また、本発明の冷暖房換気システム１にあっては、例えば図７に示す如く、放熱体４ａの上部にダクト管１１ａと接続した接続ボックス１１Ｊを配置し、気液熱交換器５を経由した給気空気ａ１０を、接続ボックス１１Ｊの調節羽根１４ｆを備えた放熱体吹出口１４ｃから放熱体４ａに吹き付けるのが好ましい。
【００３３】
この場合、接続ボックス１１Ｊは、給気ダクト管１１ａと接続し、且つ吹出口には、慣用の風向き調節用の調節羽根１４ｆを備えたものであれば良く、典型的には、図７に示す如く、可動式の調節羽根１４ｆを備えた放熱体吹出口１４ｃの底板１４ｄに上箱１４ｕを嵌着し、上箱１４ｕに天井配管のダクト管１１ａを接続するものである。
【００３４】
従って、気液熱交換器５を経由した給気空気ａ１０は、調節羽根１４ｆの可動調節で、放熱体４ａの前後面等の表面に対する吹き付けが出来、放熱体４ａ周辺の空気を給気空気ａ１０が撹拌することにより、放熱体４ａに対する冷房時での、結露抑制及び対流熱伝達向上が、暖房時での、補助暖房付与及び対流熱伝達向上が、好適に実施出来る。
【００３５】
また、本発明の冷暖房換気システム１にあっては、気液熱交換器５は、例えば図３に示す如く、長手の筒本体５ａの前後をダクト管１１ａに接続し、筒本体５ａ内には、冷温水循環回路６に接続した冷温水コイル５ｂを上下中間層の長手方向に配置して後部下面にはドレンパイプ５ｇを垂下し、冷温水コイル５ｂの前端下面は下側風偏向板５ｄで閉止し、冷温水コイル５ｂの上面は、後端を上側風偏向板５ｕ１で閉止すると共に、後方から前方へ、順次通過風量を増大させる上側風偏向板群５ｕ２〜５ｕ６を間隔配置して、供給空気流ａ４を冷温水コイル５ｂの前端上部に導入して冷温水コイル５ｂの下面後端から放出するのが好ましい。
【００３６】
この場合、各偏向板は、典型的には、図３（Ｃ）の如く、供給空気流ａ４に対して４５°で前方傾斜したものである。
従って、該気液熱交換器５を採用すれば、筒本体５ａに慣用のレジューサー管を介在させるだけでダクト管１１ａとの連結が出来るため、気液熱交換器５の配置の自由度が向上し、本発明の冷暖房換気システムの天井空間内や床下等への配置が、簡便且つ容易となる。
【００３７】
そして、熱交換機能も、筒本体５ａの大径化を抑えて、筒本体５ａ及び冷温水コイル５ｂの前後長の選択設定で所望能力が得られる。
しかも、気液熱交換器５は、換気システムの給気ダクト管１１ａと接続配置出来るため、従来のダクト換気システムをそのまま使用することが出来、冷暖房換気システムの施工が容易である。
【００３８】
また、本発明の冷暖房換気システム１にあっては、例えば図１に示す如く、機械式換気システムに全熱交換型第一種換気装置７を配置し、給気経路中の第一種換気装置７の出口側若しくは入口側に気液熱交換器５を配置し、気液熱交換器５からは、ドレンパイプ５ｇを介してドレン配管１７ｓで勝手口等の土間１７ｂに冷暖房放熱して、排水枡１７ａに排水するのが好ましい。
【００３９】
この場合、第一種換気装置７のドレン処理は、慣用の手段で実施すれば良い。
また、ドレン配管１７ｓは小径のパイプを勝手口の土間１７ｂ内に蛇行配管すれば良い。
また、全熱交換型第一種換気装置７は、例えば図６（Ｂ）に示す如く、屋外空気を吸込んで居室内に供給する送風機７ｂ及び居室内の空気を吸込んで屋外に排気する送風機７ｂ´が各１台、吸気用及び排気用に配設するエアフィルター７ｄが各１枚、熱交換用エレメント７ｃが１個、及び換気装置７内での空気流を誘導するダクトが、おのおの鋼板製のケーシング７ａ内に収納された慣用の第一種換気装置、例えば、協立エアテック（株）製の全熱交換器（商品番号：２４ＨＦＣ１２Ｎ３）を採用すれば良い。
【００４０】
従って、本発明にあっては、外部から取り入れる換気用の空気の、水分及び潜熱除去が、第１段階の全熱交換型換気装置７と、第２段階の気液熱交換器５の作用との２段階の協仂作用で高効率に一括処理出来て、放熱体４ａの輻射放熱作用と相俟って、居室内を適湿、適温の住環境と出来る。
そして、気液熱交換器５で、冷房時に除湿作用で生じる冷温排水は、勝手口や玄関の土間１７ｂに冷房機能を付与し、除湿のための冷却エネルギーの有効活用で、土間１７ｂの温度環境も向上する。
【００４１】
また、本発明にあっては、ダクト管１１ａで、床下換気口１５ｃからエアーフィルター１２ｄ、ダクトファン１２ｃ、気液熱交換器５を経て吹出口１４に亘る換気システムを１階床下に配置し、床下換気口１５ｃから取り入れる給気空気流を、気液熱交換器５で処理して床下の各区画空間Ｅ１〜Ｅ８に送風して、床下空間を換気すると共に、床下空間から各床換気口Ｖを介して居室内も換気するのが好ましい。
【００４２】
この場合、床下換気構造は、例えば図９（Ａ）に示す如く、屋外から床下への空気流入路は、ダクト管１１ａの空気取入れ用の床下換気口１５ｃのみとし、基礎１８ｆの各区画仕切壁間には床下通気口１５ｄを配置し、基礎１８ｆで仕切られた各区画Ｅ１〜Ｅ８へは、特定の１区画（Ｅ６区画）にダクト管１１ａで換気流を吹出せば、全区画Ｅ１〜Ｅ８に送気出来る形態とすれば良い。
また、床換気口Ｖの少なくとも１個は放熱体４ａの近傍に配置すれば、放熱体４ａの外表面の結露抑制、及び放熱体４ａ近傍の対流熱伝達が促進出来る。
【００４３】
従って、本発明は、電気配管、非常設備配線、冷暖房設備配管、換気設備配管、給排水衛生設備配管などが集中する天井Ｃ内から、大径の換気設備配管が床下に移せるため、天井Ｃ内及び床下の配管作業が容易となり、床下の作業は他作業の影響を受けず、工事期間の短縮化が可能となる。
しかも、床下は、換気によって湿気が少なくなることで、（イ）．構造用木材及び鉄骨材の腐食が防止出来る。（ロ）．除湿空気環境となるため白蟻の発生が阻止出来る。（ハ）．床下を収納スペースと出来る、等の特有の実用効果が期待出来る。
【００４４】
また、換気システムを１階床下に配置して、床下と１階居間とを換気する床下換気システムにあっては、例えば、図９（Ｂ）に示す如く、床下配置のダクト管１１ａから給気用の上り縦ダクト管１１ａ”を上階の床Ｆに導き、上階の床換気口Ｖから上階居室を換気するのが好ましい。
【００４５】
この場合、上階は２階のみに限定されるものでなく、給気縦ダクト管１１ａ”を床Ｆに導いた床上階、例えば２階、３階等の意である。
また、上階の居室への換気吹出しは、図９（Ｂ）に示す如く、縦ダクト管１１ａ”から上階床（例えば２階床）Ｆと下階（例えば１階）天井Ｃとのスペースに給気し、上階床に配置した慣用の床換気口Ｖから給気すれば良い。
従って、ダクトファン１２ｃ及び気液熱交換器５のパワーを適切に設定することにより、床下スペースを有効利用した、施工性に優れた床下換気システムで、床下はもとより、上層各階の適温、適湿換気が可能となり、床下は、換気乾燥状態が維持出来て、白蟻の発生繁殖や、建材の吸湿腐朽も抑制出来る。
【００４６】
また、本発明の冷暖房換気システム１は、例えば図１０に示す如く、自然給気口１３ｂから屋外空気を室内に取り入れ、室内吸気口１５ｂからダクトファン１２ｃを介して屋外排気口１４ａで排気する、いわゆる第三種換気システムに於いて、天井の室内吸気口１５ｂから下り縦ダクト管１１ａ´を経由して１階床下の給気ダクト管１１ａに至り、床下の給気ダクト管１１ａは、エアーフィルター１２ｄ、ダクトファン１２ｃ、気液熱交換器５を経て吹出口１４から１階床下の各区画空間Ｅ１〜Ｅ８を換気して、床換気口Ｖから居室内も換気するのが好ましい。
【００４７】
この場合、床下への空気流入は、下り縦ダクト管１１ａ´での空気流入のみとすれば良く、床下の各区画空間Ｅ１〜Ｅ８を仕切る各基礎１８ｆには、換気空気用の床下通気口１５ｄ（標準：１００mm径の円孔）を配置すれば良い。
従って、本発明にあっては、換気システムの床下配置の特有の効果、即ち大径の換気設備配管が床下に移せるため、天井内及び床下の配管作業が容易となり、床下の作業は他作業の影響を受けず、工期の短縮化が可能である、床下空間が除湿環境となるため、構造用木材及び鉄骨材の腐食が抑制出来る、白蟻の発生、繁殖が抑制出来る、等の効果に、更に、気液熱交換器５の作用は、居室内空気を循環させながらの稼動作用となるため、冷却温度差の少ない環境での熱交換作用となって省エネルギー化出来る。
【００４８】
また、換気システムを床下配置して、気液熱交換器５への給気を、居室内空気の循環作用とする冷暖房換気システムにあっては、例えば図１０（Ｂ）に示す如く、床下の給気ダクト管１１ａから上り縦ダクト管１１ａ”を経由して天井内給気ダクト管１１ａに至り、天井内給気ダクト管１１ａから床換気口Ｖを介して居室内を換気するのが好ましい。
【００４９】
この場合、縦ダクト管１１ａ”は、必要に応じて、上層各階の天井内給気ダクト管１１ａと接続すれば良い。
従って、本発明にあっては、換気システムの床下配置特有の効果を発揮すると共に、気液熱交換器５の居室内循環空気流での省エネルギー冷暖房作用であるため、例えば中層マンション等の、床下から上層階までの、建物の全体冷暖房換気の実施も可能となる。
【発明の効果】
【００５０】
本発明の冷暖房換気システム１は、輻射冷暖房用の放熱回路４の往き側配管６ｓ´から、冷温水循環回路６が分流して気液熱交換器５内を循環し、再度放熱回路４に還流復帰し、放熱回路４と冷温水循環回路６とを、別々に制御運転し、同時運転出来るため、気液熱交換器５の循環水温を放熱体４ａの循環水温より低温として、気液熱交換器５の除湿能力を放熱体４ａのそれより高く出来、居室内の水分を効率的に除湿することが出来、放熱体４ａの表面での結露発生の抑制出来る冷暖房システムとなる。
【００５１】
また、本発明は、気液熱交換器５を機械式換気装置の給気経路中に配置するため、換気システムのダクトは、従来の方式をそのまま使用出来、施工が容易な輻射式の冷暖房換気システムとなる。
また、気液熱交換器５は、換気によって外気から供給される空気中の水分を一括して処理出来、住宅などの潜熱負荷は、換気によって外気からの供給が大部分であるため、換気システム設計も容易となる。
そして、本発明の冷暖房換気システムは、建築基準法で定められている換気システムに気液熱交換器を付設するのみであるため、高性能な冷暖房換気システムが、低コストで、容易に構築出来る。
【図面の簡単な説明】
【００５２】
【図１】本発明の冷暖房換気システム１の全体説明線図である。
【図２】本発明の流水回路説明図であって、（Ａ）は回路図、（Ｂ）は流量調整ソケットの分解斜視図である。
【図３】気液熱交換器の説明図であって、（Ａ）は使用状態の縦断側面図、（Ｂ）は透視斜視図、（Ｃ）は縦断側面図、（Ｄ）は（Ｂ）の矢印Ｄ視図、（Ｅ）は（Ｂ）の矢印Ｅ視図である。
【図４】冷温水コイルの説明図であって、（Ａ）は循環コイル５ｃの流水図、（Ｂ）は（Ａ）のＢ−Ｂ線縦断面図、（Ｃ）はフィンの斜視図である。
【図５】加湿装置の説明図であって、（Ａ）は全体斜視図、（Ｂ）は縦断側面図、（Ｃ）は縦断正面図、（Ｄ）は分解斜視図である。
【図６】本発明の換気説明図であって、（Ａ）は全体の空気流回路図、（Ｂ）は第一種換気装置７の構成概略図、（Ｃ）は換気装置７とダクト管１１ａの接続縦断面図、（Ｄ）は気液熱交換器５と換気装置７との接続縦断面図である。
【図７】接続ボックス１１Ｊの説明図であって、（Ａ）は使用状態正面図、（Ｂ）は使用状態側面図、（Ｃ）は接続ボックスの分解斜視図である。
【図８】本発明の変形例図であって、（Ａ）は変形例１の概略上視図、（Ｂ）は変形例２の概略上視図、（Ｃ）は変形例３の概略上視図である。
【図９】本発明の変形例４の説明図であって、（Ａ）は床下上視図、（Ｂ）は空気流回路の略示側面図である。
【図１０】本発明の変形例５の説明図であって、（Ａ）は床下上視図、（Ｂ）は空気流回路の略示側面図である。
【図１１】従来例図であって、（Ａ）は従来例１の概要説明図、（Ｂ）は従来例２の概要説明図である。
【図１２】従来例図であって、（Ａ）は従来例３の除湿用空気熱交換器の概略説明図、（Ｂ）は従来例４のルームエアコンの縦断側面図である。
【発明を実施するための形態】
【００５３】
〔冷暖房換気システムの全体構成〕
本発明を実施する冷暖房換気システム１は、図１に示す如く、屋外に配置した熱源機２から往き側ヘッダー６ａに循環ポンプ３を介して冷温水を送水し、往き側ヘッダー６ａから戻り側ヘッダー６ｂまで、各居室の輻射用放熱体４ａを経由し、戻り側ヘッダー６ｂから熱源機２に復流する放熱回路４を備えた、従来の冷温水循環型の輻射冷暖房システムに、新規な、気液熱交換器５による除湿、加熱機能と、加湿装置１６による乾燥空気への加湿機能とを備えた換気システムを、放熱回路４から分岐合流する冷温水循環回路６で作動させるようにした。
【００５４】
そして、気液熱交換器５は、図３に示す如く、短径で長尺の円筒形態とし、天井内に配置した慣用の、全熱交換型の第一種換気装置７の接続口７ｅにレジューサー管５Ｊを介して接続し、換気装置７から給気ダクト管１１ａへ流れる通過空気を、冷房時には冷却して除湿し、暖房時には加熱するものであり、加湿装置１６は、図５に示す如く、噴霧ノズル１６ｂ群を長手方向に備えて、図１に示す如く、給気ダクト管１１ａ中の気液熱交換器５の下流に配置し、暖房時に、気液熱交換器５で加熱された乾燥空気に加湿するものであり、加湿用の噴霧水は、気液熱交換器５を作動させる冷温水循環回路６から分岐した加湿回路６０で湿度センサーでの制御の下に供給するものである。
【００５５】
また、気液熱交換器５及び加湿装置を作動させるための冷温水循環回路６は、図２（Ａ）に示す如く、放熱回路４の熱源機２から往き側ヘッダー６ａまでの大径往き側配管６ｓ´に於いて、循環ポンプ３の下流にＴ型ソケット６ｍで第１分岐点Ｐ１を配置し、第１分岐点Ｐ１で分流し、分岐点Ｐ１から気液熱交換器５の往き側接続口５ｓまでの小径往き側配管６ｓ”に、流量計１０ａ、電磁弁６Ｃ１、Ｔ型ソケット６ｍの第５分岐点Ｐ５を配置し、第５分岐点Ｐ５から気液熱交換器５の往き側接続口５ｓに入り、気液熱交換器５の戻り側接続口５ｒから放熱回路４の往き側配管の第２分岐点Ｐ２で、流量調整ソケット１０ｃを介して合流し、加湿装置１６へは、第５分岐点Ｐ５から電磁弁６Ｃ２を介して加湿回路６０を分流するものである。
【００５６】
また、放熱回路４の往き側配管６ｓ´では、第１分岐点Ｐ１と第２分岐点Ｐ２の間に手動操作の仕切弁１０ｂを配し、第２分岐点Ｐ２の下流に、順次、水温計１０ｆ、Ｔ型ソケット６ｍの第３分岐点Ｐ３、電磁弁６Ｃ３を経て往き側ヘッダー６ａに至り、戻り側ヘッダー６ｂから熱源機２への大径戻り側配管６ｒ´には、手動操作の仕切弁１０ｂ´及び第４分岐点Ｐ４としてのＴ型ソケット６ｍを配置し、放熱回路４の、往き側配管６ｓ´の第３分岐点Ｐ３と戻り側配管６ｒ´の第４分岐点Ｐ４間を、手動仕切弁１０ｂ”を介して接続し、放熱回路４の往き側ヘッダー６ａと各放熱体４ａとの間にも、各放熱体４ａを個別に制御する電磁弁６Ｃ４を配置し、図１に示す如く、電磁弁６Ｃ１，６Ｃ２は電線９ｅでヒューミデイスタット９ａと接続し、電磁弁６Ｃ３，６Ｃ４は電線８ｅでサーモスタット８ａと接続した。
【００５７】
そして、熱源機２で作成されて所定温度で放熱回路４に送水される冷温流水ｗ１は、第２分岐点Ｐ２まで至り、第１分岐点Ｐ１で分流した流水ｗ２は第５分岐点で分流水ｗ３として気液熱交換器５内に入り、気液熱交換器５内を循環放熱して戻り流水ｗ４として第２分岐点Ｐ２に流入し、第２分岐点Ｐ２では熱源機２からの所定温度の流水ｗ１に気液熱交換器５で、放熱して冷房時には温度上昇、暖房時には温度低下した戻り流水ｗ４が合流して、若干温度変化した往き側流水ｗ５が往き側ヘッダー６ａに流入して、分配流水ｗ６として各放熱体４ａを冷暖房作動させ、放熱体４ａで放熱した戻り流水ｗ７が戻り側ヘッダー６ｂに入り、戻り側ヘッダー６ｂから熱源機２に還流し、放熱体４ａの休止時（中間期）では、放熱回路４用の冷温水循環回路６のみを循環作動するものである。
【００５８】
〔気液熱交換器（図３、図４）〕
本発明に使用する新規な気液熱交換器５は、図３（Ｂ），（Ｃ）に示す如く、長さＬ１が８９０mm、肉厚４．５mmで内径ｒ１が１３１mmの硬質塩化ビニル筒本体５ａ内の上下中間層に、長手方向に長さＬ２が６５０mmの冷温水コイル５ｂを、間隔配置した受金具５ｎで上下から挟着して、受金具５ｎをねじＮ５で筒本体５ａに固定保持し、筒本体５ａの、排気側Ｓｂ下面からドレンパイプ５ｇを垂下し、筒本体５ａの給気側Ｓｆ上面の長手方向スリット切欠５ｍから、内蔵した冷温水コイル５ｂの、往き側接続口５ｓ及び戻り側接続口５ｒを、上方へ突出したものである。
【００５９】
〔冷温水コイル（図４）〕
冷温水コイル５ｂは、冷温水を循環させて、気液熱交換器５内を貫流する空気流に熱交換するものであって、冷温水コイル自体は慣用されているものである。
冷温水コイル５ｂは、本発明の新規な、短径、長尺筒形態の気液熱交換器５に適用出来るようにしたもので、全体構造は、図３に示す如く、フィン５ｆ群の配置長さＬ２が６５０mm、各フィン５ｆは、図４（Ｃ）に示す如く、上下高さｈ２が４２．３mm、フィン幅ｗ２が１０６．５mm、肉厚０．１２mmの長方形アルミ板であって、フィン５ｆ群は、図４に示す如く、断面千鳥状に並行配置の長尺循環コイル５ｃが貫通した形態で、間隔０．５mmで密集並列配置し、フィン５ｆ群の両端には、フィン５ｆと同形状のエンドプレート５ｅ，５ｅ´を循環冷温水コイルに固定してフィン５ｆ群の姿勢保持と脱落を防止した。
【００６０】
そして、循環コイル５ｃは、図４（Ａ），（Ｂ）に示す如く、フィン５ｆ群及び両端のエンドプレート５ｅ，５ｅ´に貫入した上側４本と下側４本とを上下千鳥状配置とし、給気側Ｓｆで、往き側接続口５ｓと戻り側接続口５ｒとを立設した。
そして、筒本体５ａ内に装着した該コイル５ｃに対して、図３（Ｃ）に示す如く、給気側Ｓｆに４５°角で傾斜する風偏向板群５ｕ１〜５ｕ６を、後端の風偏向板５ｕ１は、上側空間Ｓｕを閉止し、順次５ｕ２，５ｕ３と、筒本体５ａの上側内面との風通間隙を拡大する形態に、風偏向板の直立アンカー片ａｎをフィン５ｆ間に圧入して配置し、コイル５ｃの前端下面には、下側空間Ｓｄを閉止する風偏向板５ｄを配置した。
【００６１】
従って、気液熱交換器５は、図２（Ａ）に示す如く、冷温水循環回路６から、冷水又は温水が往き側接続口５ｓから流入して戻り側接続口５ｒから流出する循環をすることにより、コイル５ｃ内では、図４（Ａ）に示す如く、矢印ｆ１→ｆ２→ｆ３→ｆ４・・・ｆ１０と流れて、筒本体５ａの径方向に密集配置のフィン５ｆ群を冷却又は加熱し、筒本体５ａ内を貫流する給気空気流ａ４は、図３（Ｃ）に示す如く、給気側Ｓｆでは全量が冷温水コイル５ｂの上側空間Ｓｕに流入して、各風偏向板５ｕ１〜５ｕ６の偏向作用で、給気空気流ａ４は、全て、フィン５ｆ群相互の微小空間（標準：０．５mm）を上方から下方に貫流して熱交換作用を受け、冷温水コイル５ｂの下側空間Ｓｄから供給空気流ａ６として流出するものである。
【００６２】
〔加湿装置１６（図５）〕
加湿装置１６は、温水を噴霧する噴霧ノズル１６ｂ群を、上部ケーシング１６ｕの長手方向に配置し、給気側接続口１６ｓを介して、気液熱交換器５からの暖房季の高温低湿空気に、噴霧ノズル１６ｂから温水を噴霧して、加湿装置１６を通過する給気を、高温高湿空気として居室内に供給するものであり、下部ケーシング１６ｄの底面は底蓋１６ｅでの開放によって、噴霧ノズル１６ｂの調整や取替え、及びケーシング内の清掃を可能としたものである。
【００６３】
加湿装置の全体構成は、図５に示す如く、幅ｗ１６が１５０mm、高さｈ１６が１５０mm、長さＬ１６が５７０mmの、長寸の方形箱形状で、前端及び後端辺には、ダクト管１１ａとの接続口１６ｓ，１６ｒを備えたもので、図５（Ｄ）に示す如く、上部ケーシング１６ｕと、下部ケーシング１６ｄとを、ねじ締着で一体化するものであり、下部ケーシング１６ｄは、船底面１６ｄ´の給気側接続口１６ｓの近傍から、長さ４４０mmで全幅に亘る切欠１６ｍを備え、船底形態の底蓋１６ｅの両側の起立縁のねじ孔Ｈ１６´と下部ケーシング１６ｄの両側辺下端のねじ孔Ｈ１６´とを介して、底蓋１６ｅが下部ケーシング１６ｄの切欠１６ｍを着脱自在に閉止するものである。
【００６４】
そして、下部ケーシング１６ｄの供給側接続口１６ｒの内側端辺には、両側辺と３０mmの隙間を保った、径１００mmのエリミネーター板１６ｐを、支持片１６Ｐ´を介して、接続口１６ｒから下部ケーシング１６ｄ内への突出形態で配置し、エリミネーター板１６ｐの前部下面からはドレンパイプ１６ｇを垂下したものである。
また、上部ケーシング１６ｕは、幅ｗ１６が１５０mm、長さＬ１６が５７０mmの上板の四周から幅２５mmの立下り辺１６ｆが垂下し、上板の幅方向中央には１００mm間隔で貫通孔Ｈ１６群を穿孔し、前端に締着用のねじ部１６ｔを備え、後端の閉止した外径３４mm、肉厚３mmの鋼製直管１６ａから１００mm間隔で垂下した枝管１６ｃ群を貫通孔Ｈ１６に貫入し、枝管１６ｃの先端に、慣用の、ストレーナーを一体とし、加圧機能を備えた円錐パターンスプレーの噴霧ノズル１６ｂを装着したものである。
【００６５】
従って、加湿装置１６は、直管１６ａを、ねじ部１６ｔを介して加湿回路６０の配管６Ｓ”と接続し、直管１６ａに加湿用水が供給されれば、各噴霧ノズル１６ｂが装置内を貫流する給気に水を噴霧して加湿し、噴霧水滴の混入放出はエリミネーター板１６ｐで阻止し、加湿空気のみを供給側接続口１６ｒから給気ダクト管１１ａを介して居室内に送気し、加湿装置１６内の船底１６ｄ´に溜まる水はドレンパイプ１６ｇで排除出来るもので、必要に応じて、底蓋１６ｅを開放して、噴霧ノズル１６ｂのメンテナンス、及び加湿装置１６内の清掃が出来るものである。
【００６６】
〔接続ボックス（図７）〕
接続ボックス１１Ｊは、図７（Ｃ）に示す如く、底面を開放した鋼板製で、幅１２０mm、高さ１５０mm、長さは放熱体４ａの左右幅より２００mm短寸の箱体ＵＢと、接続口１１ｅ´を備えた閉止板１１ｅと、底板の中央に切欠１４ｍを備えて、切欠１４ｍ上には調節羽根１４ｆ群を備えた放熱体吹出口１４ｃとから成り、箱体ＵＢを吹出口１４ｃの立上り辺１４ｔとねじ止着し、箱体ＵＢ前面の切欠１１ｍを覆う形態で閉止板１１ｅをねじ孔Ｈ１１´を介して止着したもので、図７（Ａ），（Ｂ）に示す如く、放熱体４ａ上に配置すれば、給気ダクト管１１ａから接続口１１ｅ´を介して流入する給気を、調節羽根１４ｆ群による調整で、放熱体４ａの前後面に沿って吹き下ろすものである。
【００６７】
〔冷暖房換気システムの構築〕
〔換気システムの構築（図６、図７）〕
建物の構造体及び屋根、外壁を構築後、天井Ｃ内に図６（Ｃ），（Ｄ）に示す如く、協立エアテック（株）製の全熱交換型の第一種換気装置７、気液熱交換器５、加湿装置１６を、慣用の吊ボルト手段で２階の根太に吊り込み、外壁Ｗｏ外側に、屋外排気口１４ａ及び屋外吸気口１５ａを取付け、気液熱交換器５の給気側Ｓｆ及び供給側Ｓｂには慣用のレジューサー管５Ｊを配置する。
【００６８】
そして、第一種換気装置７は、屋外側の給気接続口７ｅと屋外吸気口１５ａとを、排気接続口７ｅ´と屋外排気口１４ａとを、おのおの、慣用のダクト管１１ａを介して接続し、室内側の、給気接続口７ｅと気液熱交換器５の吸気側レジューサー管５Ｊとを、排気接続口７ｅ´と天井面の室内吸気口１５ｂとを、おのおのダクト管１１ａを介して接続連通する。
【００６９】
次いで、気液熱交換器５の供給側レジューサー管５Ｊと加湿装置１６の給気側接続口１６ｓとをダクト管１１ａで連結し、各居室内の天井野縁組を実施し、天井材の張着前に、加湿装置１６の供給側接続口１６ｒから、天井面の所定箇所の室内吹出口１４ｂ、及び放熱体４ａ上部の、天井Ｃ上に天井野縁１８を介して配置した接続ボックス１１Ｊに、おのおのダクト管１１ａを接続連結する。
【００７０】
〔流水回路（図１、図２）〕
図２（Ａ）の流通回路図に示す如く、冷暖房用の放熱回路４は、屋外に配置した、慣用の圧縮機、膨張弁、冷温水コイル等を内臓する水熱交換器等から成るヒートポンプ式の、冷温水作成手段としての熱源機２から大径（内径：２０．５mm、肉厚：３．５mm）のプラスチック樹脂パイプ（架橋ポリエチレン管（ＪＩＳＫ６７６９））６ｓ´を引出して往き側ヘッダー６ａに接続する。
【００７１】
そして、図２（Ａ）に示す如く、熱源機２と往き側ヘッダー６ａ間の大径往き側配管６ｓ´には、上流から下流に亘って、循環ポンプ３、分岐点Ｐ１用のＴ型ソケット６ｍ、仕切弁１０ｂ、分岐点Ｐ２用の流量調整ソケット１０ｃ、水温計１０ｆ、分岐点Ｐ３用のＴ型ソケット６ｍ、電磁弁６Ｃ３を順次配置する。
また、戻り側ヘッダー６ｂから熱源機２への大径戻り側配管６ｒ´には、仕切弁１０ｂ´、分岐点Ｐ４用のＴ型ソケット６ｍを配置し、往き側経路の分岐点Ｐ３用のＴ型ソケット６ｍと戻り側経路の分岐点Ｐ４用のＴ型ソケット６ｍ間は大径配管６ｓ´でバイパス接続し、バイパス大径配管６ｓ´上に仕切弁１０ｂ”を配置する。
【００７２】
流量調整ソケット１０ｃ自体は、図２（Ｂ）に示す如く、ステンレス製で、内径２０mm、肉厚３mm、長さ７５mmの直管片１０ｄの中央から４５°で傾斜して突出した小径の斜片１０ｅを備え、直管片１０ｄの前後両端には、大径の往き側配管６ｓ´をねじ手段６ｔ，１０ｔで螺合嵌入し、斜片１０ｅの先端には、小径の戻り側配管（気液熱交換器５からのパイプ）６ｒ”を、ねじ手段６ｔ，１０ｔで螺合嵌入するものであり、直管片１０ｄの内径が大径配管６ｓ´の内径より大として、斜片１０ｅからの流入水、即ち気液熱交換器５からの流入水の大径配管６ｓ´中の往き側流水への混入合流をスムーズにしたものである。
【００７３】
そして、往き側ヘッダー６ａから小径（内径：９．８ｍ、肉厚：１．６mm）のプラスチック樹脂パイプ（架橋ポリエチレン管）６ｓを各居室の放熱体４ａ用に引出して、電磁弁６Ｃ４を介在して、各輻射用放熱体４ａの往き側接続口４ｓと接続し、各放熱体４ａの戻り側接続口４ｒから小径配管６ｒで戻り側ヘッダー６ｂと連通して、冷温水が循環する各放熱体４ａ用の放熱回路４を形成する。
【００７４】
また、放熱回路４の往き側経路の分岐点Ｐ１のＴ型ソケット６ｍからは、放熱回路４用の小径配管６ｓ，６ｒと同一の小径配管６ｓ”を延出して、流量計１０ａ、電磁弁６Ｃ１、分岐点Ｐ５用のＴ型ソケット６ｍに至り、分岐点Ｐ５からは、気液熱交換器５の往き側接続口５ｓに接続して、気液熱交換器５内の、冷温水コイル５ｂを経て戻り側接続口５ｒから放熱回路４の分岐点Ｐ２の流量調整ソケット１０ｃに接続し、気液熱交換器５用の冷温水循環回路６を形成する。
また、冷温水循環回路６の分岐点Ｐ５のＴ型ソケット６ｍからは、同形の小径パイプを電磁弁６Ｃ２を介して延出して加湿装置１６の直管１６ａと接続した加湿回路６０を形成する。
【００７５】
〔ドレン回路〕
気液熱交換器５のドレンパイプ５ｇからは、慣用のパイプ継手を採用して、土間冷却装置１７の小径のドレン配管１７ｓに接続し、ドレン配管１７ｓは蛇行配置して排水枡１７ａに接続する。
また、加湿装置１６のドレンパイプ１６ｇと第一種換気装置７のドレンパイプ７ｇとは、排水パイプ７ｋで接続して屋外排水とする。
尚、冷温水循環回路６、放熱回路４、ドレン回路の各パイプ、ヘッダー類及び換気システムの給気経路には、結露防止、熱損失防止上、慣用の保温材被覆を施す。
【００７６】
〔空気流回路（図６（Ａ）〕
換気システムの空気流の給気は、図６（Ａ）の空気流回路に示す如く、屋外空気流ａ１が、屋外吸気口１５ａ→空気流ａ２で第一種換気装置７→空気流ａ４で気液熱交換器５→空気流ａ６で加湿装置１６→空気流ａ７で室内吹出口１４ｂに入り、空気流ａ８として居室内へ吹き出すと共に、分流した空気流ａ９が空気流ａ１０として放熱体４ａへ吹出す。
また、空気流の排気系統は、室内空気が空気流ａ１１として室内吸気口１５ｂに入り、空気流ａ１２で第一種換気装置７に入り、空気流ａ１３→空気流ａ１４で屋外排気口１４ａに入り、空気流ａ１５として屋外に放出するものである。
【００７７】
〔制御系統（図１）〕
室内温度、及び循環水温度の制御は、図１に示す如く、温度センサー８ｂ及びサーモスタット８ａから電線８ｅで放熱体４ａ上流の電磁弁６Ｃ４、及び往き側ヘッダー６ａ上流の電磁弁６Ｃ３と接続する。
また、室内湿度は、ヒューミデイスタット９ａ及び湿度センサー９ｂから電線９ｅで、加湿回路６０の電磁弁６Ｃ２及び分岐点Ｐ５上流の電磁弁６Ｃ１と接続する。
【００７８】
各電磁弁の役割は、次表のとおりである。
電磁弁  温度  湿度  夏季              冬季              その他      
６Ｃ１        対応  開・湿度低下で閉  開・加湿用                    
６Ｃ２        対応  閉                開・湿度上昇で閉              
６Ｃ３  対応        開・温度低下で閉  開・温度上昇で閉  全室対応    
６Ｃ４  対応        開・温度低下で閉  開・温度上昇で閉  個別居室対応
尚、冬季に、加湿装置１６が湿度上昇で閉止しても、気液熱交換器は稼動しているので、居室内温度低下は避けられる。
【００７９】
また、手動仕切弁の役割は、次表のとおりである。
仕切弁    役割                                                      
１０ｂ    流量調整用                                                
１０ｂ´  冷暖房時開、中間期閉                                      
１０ｂ”  冷暖房時閉、中間期開                                      
また、熱源機２の、慣用のリモートコントロールには、運転スイッチ、タイマー運転スイッチ、停止スイッチ、ハイパワー運転スイッチ、控え目モードスイッチ、冷暖房モード切換スイッチ、水温調整スイッチ、時刻合せスイッチ、点検スイッチ、タイマー設定スイッチが付設している。
【００８０】
〔冷暖房換気システムの運転（図１、図２）〕
１．夏季の冷房運転
冷房運転は、居室内仕切壁表面に配置するサーモスタット８ａ及びヒューミデイスタット９ａで居室内空気を適温（標準：２８℃）、適湿（標準：５０％）に設定し、熱源機２から大径配管６ｓ´への送水温度を熱源機２のリモートコントロールで１３℃に設定し、分岐点Ｐ３と分岐点Ｐ４との間の往き側配管６ｓ´上の仕切弁１０ｂ”は閉止し、第一種換気装置７を駆動して屋外の高温高湿空気を吸収し、第一種換気装置７で居室内の低温低湿空気と熱交換及び水分交換（水蒸気交換）を行い、居室内の空気を中温中湿として屋外に排出し、屋外空気は中温中湿として気液熱交換器５に送風し、更に冷却除湿して居室内に冷却減湿空気を供給し、居室内空気を第一種換気装置７で吸気し、熱及び水分交換して屋外に排出させながら、放熱回路４及び冷温水循環回路６を運転した。
【００８１】
運転初期の気液熱交換器５にあっては、図２（Ａ）に示す如く、１３℃の循環流水ｗ１が循環ポンプ３から、分岐点Ｐ１から水量計１０ａ、電磁弁６Ｃ１を経て、流水ｗ２で気液熱交換器５内の冷温水コイル５ｂに、往き側接続口５ｓから流入して循環コイル５ｃ内を流水して、気液熱交換器５内では、第一種換気装置７から流入した空気流ａ４を冷却除湿し、該コイル５ｂ内で放熱して、標準水温１６℃となった流水ｗ４が、流量制御ユニット１０の流量調整ソケット１０ｃの斜片１０ｅを介してソケット１０ｃ内に流入した。
【００８２】
また、分岐点Ｐ１でのＴ型ソケット６ｍからの、１３℃の循環水は、大径配管６ｓ´内の流水ｗ１として、仕切弁１０ｂを経て、分岐点Ｐ２の流量調整ソケット１０ｃの直管片１０ｄに流入し、気液熱交換器５からの流水ｗ４と合流混合して１５℃の循環水として、大径配管６ｓ´内を流水して往き側ヘッダー６ａ内に流入した。
【００８３】
この場合、流量計１０ａ、仕切弁１０ｂ及び流量調整ソケット１０ｃから成る流量制御ユニット１０は、熱源機２からの設定流出温度（標準：１３℃）の流水ｗ１を、分岐点Ｐ１で分流して、冷温水循環回路６側の流量計１０ａに基づき、気液熱交換器５への流量（標準：３．５Ｌ／min）を仕切弁１０ｂの開閉により調整し、調整ソケット１０ｃに於いて流水ｗ１と流水ｗ４とを合流混合し、水温計１０ｆを経て往き側ヘッダー６ａに送水するものであり、往き側ヘッダー６ａへの送水温度（標準：１５℃）を水温計１０ｆで確認し、熱源機２からの送水温度（標準：１３℃）を必要に応じて再設定する。
尚、分岐点Ｐ３と分岐点Ｐ４間の仕切弁１０ｂ”は閉止し、放熱回路４往き側の電磁弁６Ｃ３及び６Ｃ４と、戻り側分岐点Ｐ４と戻り側ヘッダー６ｂとの間の仕切弁１０ｂ´は、解放状態である。
【００８４】
また、冷房の運転中は、気液熱交換器５では、運転初期同様に１３℃（標準温度）の冷水が冷温水コイル５ｂで、標準３℃放熱して標準１６℃の冷水となって流量調整ソケット１０ｃに戻り、合流混合して往き側ヘッダー６ａに１５℃（標準温度）の冷水として流入し、放熱回路では、各放熱体４ａ群に往き側ヘッダー６ａを介して送水し、放熱体４ａ内での冷房放熱によって、標準２２℃と成って戻り側ヘッダー６ｂに還流した。
【００８５】
この場合、往き側ヘッダー６ａと放熱体４ａ間の電磁弁６Ｃ４は、サーモスタット８ａと電線８ｅを介して接続しているため、温度センサー８ｂが室温を、サーモスタットの設定温度より低いと判定すれば、電磁弁６Ｃ４を作動して放熱体４ａへの循環水流を停止して、室温の異常低下を阻止し、放熱回路４の往き側ヘッダー６ａの上流に配置した電磁弁６Ｃ３は、往き側ヘッダー６ａへの流水の開放及び遮断を、サーモスタットの指令で実施し、建物内部の全室の冷房の運転又は停止を制御するものである。
【００８６】
また、冷温水循環回路６の分岐点Ｐ５の上流の電磁弁６Ｃ１は、ヒューミデイスタット９ａと電線９ｅを介して接続しているため、室内湿度を湿度センサー９ｂが感知して、ヒューミデイスタット９ａが室内湿度を設定湿度以下と判断すれば、電磁弁６Ｃ１への指令によって、気液熱交換器５への循環水流を停止して、居室内湿度の低下を阻止するものであり、電磁弁６Ｃ１は気液熱交換器５の作業を制御するものであり、分岐点Ｐ５の下流の電磁弁６Ｃ２は、冷房時には閉止し、暖房時には開放して、加湿装置１６に温水を送水するものであって、気液熱交換器５は、夏季には冷水を送水して冷却減湿空気を、冬季には温水を送水して貫流空気を加熱し、加湿装置１６での加湿を伴った高温高湿空気を居室内に給気するものである。
【００８７】
従って、冷房運転によって、放熱体４ａからは、設定室温への冷房が、輻射熱放熱で実施出来て、居室内空気も除湿されたため、人体には、室温が設定温度より低温に感じられ、さわやかな冷房環境が得られた。
しかも、気液熱交換器５で除湿した供給空気流の一部は、天井の接続ボックス１１Ｊの放熱体吹出口１４ｃから、放熱体４ａの表面空気よりも低温低湿の空気を放熱体４ａに沿って吹き下ろすため、放熱体４ａの表面結露は防止出来て、放熱体４ａのためのドレン手段は不要となった。
【００８８】
そして、放熱体４ａへの吹出口１４ｃからの吹き下ろし空気流ａ１０は、放熱体４ａ表面の滞留空気層を撹拌して、放熱体４ａの対流熱伝達をも促進した。
尚、放熱体吹出口１４ｃから吹き下ろす冷却減湿空気は、調節羽根１４ｆの調整で、放熱体４ａに対する前後面のコールドドラフトとなり、上方から床表面に、気流の存在が感じられない状態で流れた。
【００８９】
また、新規な気液熱交換器５での除湿作用は、図３（Ｃ）に示す如く、給気側Ｓｆからの給気空気流ａ４が、冷温水コイル５ｂの、下側風偏向板５ｄ及び上側風偏向板５ｕ１〜５ｕ６によって、コイル５ｂの、高圧の上面空間Ｓｕから低圧の下面空間Ｓｄへと、フィン５ｆ群の隙間を貫流し、下側空間Ｓｄから供給側Ｓｂ、即ち供給側ダクト管１１ａに送風するため、給気空気流ａ４をフィン５ｆの幅方向に対して直交方向に流すにもかかわらず、フィン５ｆ群は、高い熱交換率を発揮し、気液熱交換器５は高い除湿効果を発揮した。
尚、気液熱交換器５のフィン５ｆ群は、通過空気流ａ４が、第一種換気装置７のエアフィルター７ｄによって清浄化されているため、チリや埃の付着が無くて、フィン５ｆ群の定期的洗浄作業は不要となった。
【００９０】
また、気液熱交換器５は、除湿作用で生じたフィン５ｆ群の結露水が、フィン５ｆ間を上方から下方へ貫流する空気流で筒本体５ａの下面に落下し、ドレンパイプ５ｇから、小径のドレン配管１７ｓで勝手口の土間１７ｂの蛇行配管を経て屋外の排水枡１７ａに排出したが、例えば、気温３５℃、湿度７０％、気液熱交換器５内の循環水の温度が１３℃、流量３．５Ｌ／min、送風機７ｂの風量１５０ｍ３／ｈの場合、一日当り４３Ｌで、温度１６℃の結露水が発生するため、該冷温の結露水を蛇行通水した土間１７ｂでは、屋外と冷房中の居室内との略中間の涼しさとなった。
【００９１】
そして、居室内では、全熱交換型の第一種換気装置７が、屋外の高温高湿空気と居室内の低温低湿空気と熱交換（顕熱交換）及び湿気交換（潜熱交換）して、屋外空気が、中温中湿空気となって気液熱交換器５で冷却減湿空気として居室内に供給されるため、上記例示の温湿度条件にあっては、絶対湿度は、２５．４ｇ／kgから１２．９ｇ／kg、と約５０％の水蒸気量となって、居室内温度よりも低温に感じる、清涼感の伴う快適な空気環境となった。
【００９２】
２．冬季の暖房運転
暖房運転は、居室内間仕切壁Ｗｉ表面に配置したサーモスタット８ａ及びヒューミデイスタット９ａで、居室内空気を温度２２℃、湿度５０％に設定し、熱源機２から往き側大径配管６ｓ´への送水温度を熱源機２のリモートコントロールで４５℃に設定し、分岐点Ｐ３と分岐点Ｐ４との間の往き側配管６ｓ´上の仕切弁１０ｂ”は閉止し、第一種換気装置７を駆動させて、屋外の低温低湿空気を吸気し、第一種換気装置７で居室内の高温高湿空気と熱交換（顕熱交換）及び水蒸気交換（潜熱交換）して、気液熱交換器５で吸気空気を暖め、加湿装置１６で加湿して、居室内に加熱加湿空気を供給し、そして居室内の空気を、第一種換気装置７で吸気し、顕熱潜熱交換して屋外に排出させながら、放熱回路４、冷温水循環回路６及び加湿回路６０を作動運転した。
【００９３】
運転初期の気液熱交換器５にあっては、図２（Ａ）に示す如く、４５℃の循環水が、大径配管６ｓ´で循環ポンプ３を経て、分岐点Ｐ１から小径配管６ｓ”に入り、流水ｗ２で分岐点Ｐ５を経由して、分岐点Ｐ５から流水ｗ３で気液熱交換器５内の冷温水コイル５ｂの往き側接続口５ｓに流入し、冷温水コイル５ｂ内の循環コイル５ｃ内を流水して、気液熱交換器５内では、第一種換気装置７から流入した空気流ａ４を加熱して放熱し、循環水が４０℃となって冷温水コイル５ｂの戻り側接続口５ｒから流水ｗ４で流量調整ソケット１０ｃに斜片１０ｅから流入した。
【００９４】
また、分岐点Ｐ１から大径配管６ｓ´で仕切弁１０ｂを経て分岐点２に流入する４５°の流水ｗ１は、流量調整ソケット１０ｃの大径直管片１０ｄに流入し、斜片１０ｅから流入した４０℃の流水ｗ４と合流して４３℃の混合流水ｗ５として、水温計１０ｆ、Ｔ型ソケット６ｍ、電磁弁６Ｃ３を経て、往き側ヘッダー６ａに流入し、細径の往き側配管６ｓで流水ｗ６として放熱体４ａに入り、放熱体４ａで放熱して３８℃の温水となり、戻り側配管６ｒから流水ｗ７として戻り側ヘッダー６ｂ、仕切弁１０ｂ´、分岐点Ｐ４のＴ型ソケット６ｍを経て、３８℃の温水で熱源機２に還流し、熱源機２で、４５℃に再加熱して、再循環させて暖房作用を実施した。
【００９５】
そして、図６（Ａ）に示す如く、気液熱交換器５で加熱された空気流ａ５は加湿装置１６に流入し、加湿された空気流ａ７は、ダクト管１１ａを経由して、室内吹出口１４ｂからの吹出空気流ａ８、及び図７（Ａ）に示す如く、天井配管の接続ボックス１１Ｊの、調節羽根１４ｆを備えた放熱体吹出口１４ｃからの放熱体４ａへの吹き下し空気流ａ１０として居室内に吹出し、居室内は、加熱加湿された快適な暖房となった。
この場合、図１に示す如く、分岐点Ｐ５の前後の電磁弁６Ｃ１，６Ｃ２は、おのおの電線９ｅで、居室内のヒューミデイスタット９ａと接続しており、電磁弁６Ｃ１は、暖房運転時には常時開放し、電磁弁６Ｃ２は、居室内湿度が設定湿度より高くなった場合に閉止する。
【００９６】
３．中間期の運転
春季、秋季の中間期にあっては、図２（Ａ）に示す如く、放熱回路４の戻り側ヘッダー６ｂの下流に配置した手動の仕切弁１０ｂ´を閉止し、分岐点Ｐ３と分岐点Ｐ４間のバイパスの配管６ｓ´上に配置した仕切弁１０ｂ”を開放し、往き側ヘッダー６ａ上流の電磁弁６Ｃ３を閉止し、流水回路は、熱源機２から分岐点Ｐ３に至り、バイパス配管６ｓ´で分岐点Ｐ４に入って熱源機２に還流する回路に、分岐点Ｐ１から分流して気液熱交換器５に入り、分岐点Ｐで合流する回路のみの作動可能、即ち、気液熱交換器５と加湿装置１６用の流水回路のみ作動可能とし、放熱体４ａへの流水は閉止しておく。
即ち、加湿装置１６は、ヒューミデイスタット９ａが居室内の湿度を感知して制御運転し、気液熱交換器５は、冷暖房時には稼動し、夏季に居室内の湿度が設定湿度以下の場合に、電磁弁６Ｃ１を遮断して循環水を停止する。
【００９７】
春季、秋季の中間期にあっては、図２（Ａ）に示す水回路に於いて、放熱回路４の戻り側ヘッダー６ｂの下流に配置した手動の仕切弁１０ｂ´を閉止し、分岐点Ｐ３と分岐点Ｐ４間のバイパス配管６ｓ´上の仕切弁１０ｂ”を開放し、往き側ヘッダー６ａ上流の電磁弁６Ｃ３を閉止し、流水回路４は、熱源機２→分岐点Ｐ１→分岐点Ｐ２→分岐点Ｐ３→分岐点Ｐ４→熱源機２ルートに、分岐点Ｐ１→気液熱交換器５→分岐点Ｐ２の冷温水循環回路６を付加した回路となり、冷温水循環回路６から加湿装置１６に至る電磁弁６Ｃ１，６Ｃ２で制御される加湿回路６０が流水可能となる。
【００９８】
即ち、気液熱交換器５と加湿装置１６とのみを作動可能とし、放熱体４ａへの流水は閉止する。
また、加湿装置１６は、ヒューミデイスタット９ａが居室内の湿度を感知して制御し、気液熱交換器５は、冷暖房時には稼動し、夏季に居室内の湿度が設定湿度以下となった場合に、電磁弁６Ｃ１を遮断して循環水を停止する。
【００９９】
尚、居室内の温度管理は、熱源機２の水温調整ユニットで実施すれば良く、冷温水循環回路６への流量（標準：３．５Ｌ／min）では、居室内供給温度１８．３℃、絶対湿度１２．９ｇ／kg、除湿量４３Ｌ／日であるが、仕切弁１０ｂで流量を４．７Ｌ／minにすれば、居室内供給温度１７．６℃、絶対湿度１２．３ｇ／kg、除湿量４４Ｌ／日となる。
そして、暖房では、空気温度２１℃、循環水の温度４５℃、流量３．５Ｌ／min、送風機７ｂの風量１２０ｍ３／ｈでは、居室内に３９．６℃の空気を供給出来るが、流量を４．５Ｌ／minとすれば、４０℃の空気が供給出来る。
【０１００】
そして、居室内の温湿度環境の必要に応じて、気液熱交換器５に温水、又は冷水を循環させれば、必要な、高温加湿空気、又は低温低湿空気の居室内への提供が可能となり、中間期にあっては、放熱体４ａでの冷暖房は休止して、気液熱交換器５及び加湿装置１６の稼動運転のみで、中間期（春、秋）相応の冷暖房が可能となる。
【０１０１】
〔換気システムの変形例〕
１．変形例１（図８（Ａ））
図８（Ａ）は、換気システムの実施変形例１の概略図であって、第一種換気法で実施するが、天井内には、屋外側より気液熱交換器５→加湿装置１６→第一種換気装置７の順で配置するため、気液熱交換器５、加湿装置１６、第一種換気装置７は、ダクト１１内に予め収納してユニット化することで、現場作業は容易になる。
しかも、換気機能は、本発明の実施例と同一機能を発揮する。
【０１０２】
２．変形例２（図８（Ｂ））
図８（Ｂ）は、換気システムの変形例２の概略図であって、本発明の実施例の第一種換気法を第二種換気法に変えたもので、排気は、自然排気口１３ａから屋外に排出するものであり、第二種換気法であるために、換気システムは、熱交換（顕熱、潜熱）システムが付設していなくて、ダクトファン１２ｃ及びエアフィルター１２ｄで構成しており、本発明の実施例や変形例１に比べて安価となる。
【０１０３】
３．変形例３（図８（Ｃ））
図８（Ｃ）は、換気システムの変形例３の概略図であって、給気は、自然吸気口１３ｂから吸気し、排気はダクトファン１２ｃと屋外排気口１４ａとをダクト管１１ａを介して連結して、居室内の空気を排出し、気液熱交換器５及び加湿装置１６は、自然吸気口１３ｂ及び屋外排気口１４ａとは連通せずに、居室内空気を、室内吸気口１５ｂからダクト管１１ａを介して消費電力の小さなダクトファン１２ｃから気液熱交換器５及び加湿装置１６に流入し、室内吹出口１４ｂから居室内に給気循環する第三種換気法であり、気液熱交換器５及び加湿装置１６は、配置位置の制約が無く、施工配置が自由となる。
【０１０４】
４．変形例４（図９）
図９は、換気システムの変形例４の概略図であって、（Ａ）は床下の上視図、（Ｂ）は上下階関係の側面図である。
変形例４は、１階床下内に気液熱交換器５、ダクトファン１２ｃ、エアフィルター１２ｄをダクト管１１ａで配置するものであり、図９（Ａ）に示す如く、基礎区画Ｅ１外側の基礎１８ｆ立上り部に、床下換気口１５ｃを配置し、１階床から吊下げ形態で、区画Ｅ２にエアフィルター１２ｄ及びダクトファン１２ｃを、区画Ｅ４に気液熱交換器５を、おのおの配置してダクト管１１ａで接続するもので、気液熱交換器５は、本発明実施例同様に、放熱回路４から分岐した冷温水循環回路６の往き側配管６ｓ”を往き側接続口５ｓに、戻り側配管６ｒ”を戻り側接続口５ｒに接続し、ドレンパイプ５ｇから排水パイプ７ｋを基礎１８ｆ立上り部から屋外に突出させる。
【０１０５】
そして、気液熱交換器５の後端から区画Ｅ６に配置するダクト管１１ａに接続し、区画Ｅ６のダクト管１１ａからは、風量調整ダンパー１２ｆを備えた吹出口１４を直交突出配置する。
また、区画Ｅ４では、区画Ｅ６へのダクト管１１ａから分岐して上方への縦ダクト管１１ａ”を立設し、その先端を１階天井Ｃと２階床下間に、横方向曲折配置する。
【０１０６】
また、建物内の各基礎１８ｆ立上り部には、径１００mmの床下通気口１５ｄを穿孔配置し、区画Ｅ６に配置するダクト管１１ａから直交する吹出口１４からの冷却減湿空気、又は加湿空気を床下の各区画群に供給すると共に、１階床に配設した床換気口Ｖ群から１階各居室内へ、縦ダクト管１１ａ”から１階天井Ｃ内に送風する空気は、２階床に配置した床換気口Ｖ群から２階各居室内に供給する。
そして、排気は、１階及び２階の外壁Ｗｏに配設する自然排気口１３ａで排気し、台所、トイレ、浴室等の湿気の多い部屋は、換気扇１４ｅを用いて電気制御でコントロール排気する。
【０１０７】
即ち、変形例４の換気システムは、床下換気口１５ｃからダクト管１１ａを介して屋外空気を取り入れ、エアフィルター１２ｄで清浄し、気液熱交換器５で冷却減湿、又は加湿して、風量調整ダンパー１２ｆで風量調節して吹出口１４から床下の各空間に送風すると共に、１階の床換気口Ｖからは１階居間に、縦ダクト管１１ａ”からの送風は、２階の床換気口Ｖを介して２階居間に送風し、床下、１階居室及び２階居室を換気する。
そして、必要に応じて、換気システム内に加湿装置１６を組み入れれば良い。
【０１０８】
従って、変形例４の換気システムは、高気密、高断熱建物にあっては、十分に冷暖房効果が発揮出来るものであり、床下換気で床下の空気は澱みが無く、且つ湿気が少なく出来るため；
（イ）．構造用木材及び鉄骨材の腐食を防止する、
（ロ）．床下除湿によって白蟻の発生を阻止する、
（ハ）．床下を収納スペースに換えることが出来る；
等の利点が得られ、電気配管、非常設備配線、冷暖房設備配管、換気設備配管、給排水衛生設備配管などが集中する天井Ｃ内から、大径の換気設備配管が床下に移せるため、天井Ｃ内及び床下の配管作業が容易となり、床下の作業は他作業の影響を受けないため、工事期間の短縮化も可能となる。
【０１０９】
５．変形例５（図１０）
図１０は、換気システムの変形例５の概略図であって、（Ａ）は床下の上視図、（Ｂ）は上下階関係を示す側面図である。
変形例５は変形例４同様に、１階床下内に、気液熱交換器５、ダクトファン１２ｃ、エアフィルター１２ｄをダクト管１１ａで配置するものであるが、変形例４は、往き側縦ダクト管１１ａ”のみを１階天井Ｃ内に延出配置したのに対し、変形例５は、図１０（Ｂ）に示す如く、往き側の縦ダクト管１１ａ”を１階天井Ｃ内に延出配置すると共に、戻り側縦ダクト管１１ａ´を、２階天井内と１階天井内から床下の給気ダクト管１１ａと接続した点で異なる。
【０１１０】
即ち、変形例５の換気システムは、図１０（Ａ）に示す如く、床下換気システムで、気液熱交換器５からの冷却除湿空気又は加湿空気を、床下の各区画Ｅ１〜Ｅ８のスペース内に、各床下通気口１５ｄを介して送風すると共に、図１０（Ｂ）に示す如く、往き側縦ダクト管１１ａ”を、１階天井内に折曲配置して先端を床換気口Ｖと接続し、戻り側縦ダクト管１１ａ´には、先端に室内吸気口１５ｂを備えた、２階天井Ｃ内及び１階天井Ｃ内の戻り側縦ダクト管１１ａを接続し、１階居室及び２階居室内の空気を吸引して縦ダクト管１１ａ´で再度、床下の給気系統に戻すものである。
【０１１１】
即ち、変形例５（図１０）の換気システムは、床下のエアフィルター１２ｄ、ダクトファン１２ｃ、気液熱交換器５、及び必要に応じて付加配置する加湿装置１６で処理された供給空気を、床下各スペースに送風すると共に、１階床下の床換気口Ｖから吹出して１階居室を換気し、往き側縦ダクト管１１ａ”からは２階床換気口Ｖから吹出して２階居室を換気し、１階天井Ｃの室内吸気口１５ｂ群及び２階天井Ｃの室内吸気口１５ｂ群からの吸入空気を戻り側縦ダクト管１１ａ´で再度床下の換気システムに戻す閉循環換気システムとなる。
【０１１２】
尚、図１０（Ｂ）に示す如く、１階及び２階の天井Ｃ内に、慣用の２４時間計画換気システム用のダクトファン１２ｃを配置し、室内吸気口１５ｂを介して、室内空気を吸気して屋外排気口１４ａから排出し、給気は外壁Ｗｏ面に配置した自然給気口１３ｂから取込み、居室内では、閉循環換気空気と外気との必要交換を行う。
【０１１３】
従って、変形例５（図１０）の床下換気システムは、変形例４（図９）の床下換気システム特有の（イ）、（ロ）、（ハ）のメリットに、更に（ニ）．２階床の床換気口Ｖはダクト管１１ａと連通のため、吹出し空気の熱効率が高い。（ホ）．換気システムは、居室内空気を循環させるので、冷却又は加熱処理の温度差が小さくて、省エネルギー稼動となる、等の特有の効果を得る。
【符号の説明】
【０１１４】
１        冷暖房換気システム
２        熱源機
３        循環ポンプ
４        放熱回路
４ａ      放熱体
４ｒ，５ｒ    戻り側接続口
４ｓ，５ｓ    往き側接続口
５        気液熱交換器
５ａ      筒本体
５ｂ      冷温水コイル
５ｃ      循環コイル
５ｄ      下側風偏向板（風偏向板）
５ｅ，５ｅ´    エンドプレート
５ｆ      フィン
５ｇ，１６ｇ    ドレンパイプ
５Ｊ      レジューサー管
５ｍ，１４ｍ，１６ｍ    切欠
５ｎ      受金具
５ｕ１，５ｕ２，５ｕ３，５ｕ４，５ｕ５，５ｕ６    上側風偏向板（風偏向板）
６        冷温水循環回路
６ａ      往き側ヘッダー
６ｂ      戻り側ヘッダー
６Ｃ１，６Ｃ２，６Ｃ３，６Ｃ４    電磁弁
６ｍ      Ｔ型ソケット
６ｒ，６ｒ´，６ｒ”    戻り側配管（配管、パイプ）
６ｓ，６ｓ´，６ｓ”    往き側配管（配管、パイプ）
７        第一種換気装置
７ａ      ケーシング
７ｂ，７ｂ”    送風機
７ｃ      エレメント
７ｄ，１２ｄ    エアフィルター
７ｅ，７ｅ´，１１ｅ    接続口
７ｋ      排水パイプ
８ａ      サーモスタット
８ｂ      温度センサー
８ｅ，９ｅ    電線
９ａ      ヒューミデイスタット
９ｂ      湿度センサー
１０ａ    流量計
１０ｂ，１０ｂ´，１０ｂ”    仕切弁
１０ｃ    流量調整ソケット
１０ｄ    大径直管片（直管片）
１０ｅ    斜片
１０ｆ    水温計
１１      ダクト
１１ａ    ダクト管
１１ａ´，１１ａ”    縦ダクト管
１１Ｊ    接続ボックス
１２ｃ    ダクトファン
１２ｆ    風量調整ダンパー
１３ａ    自然排気口
１３ｂ    自然給気口
１４      吹出口
１４ａ    屋外排気口
１４ｂ    室内吹出口
１４ｃ    放熱体吹出口
１４ｅ    換気扇
１４ｆ    調節羽根
１５ａ    屋外吸気口
１５ｂ    室内吸気口
１５ｃ    床下換気口
１５ｄ    床下通気口
１６      加湿装置
１６ａ    直管
１６ｂ    噴霧ノズル（ノズル）
１６ｃ    枝管
１６ｄ    下部ケーシング
１６ｄ´  船底面
１６ｅ    底蓋
１６ｐ    エリミネーター板
１６ｒ    供給側接続口
１６ｓ    給気側接続口
１６ｕ    上部ケーシング
１７ａ    排水枡
１７ｂ    土間
１７ｓ    ドレン配管
１８ｆ    基礎
６０      加湿回路
Ｃ        天井
Ｅ１，Ｅ２，Ｅ３，Ｅ４，Ｅ５，Ｅ６，Ｅ７，Ｅ８    区画空間
Ｆ        床
Ｐ１，Ｐ２，Ｐ３，Ｐ４，Ｐ５    分岐点
Ｓｄ      下側空間
Ｓｕ      上側空間
Ｖ        床換気口
Ｗｏ      外壁
Ｗｉ      間仕切壁
【図１】
2014163528.tif 000003
【図２】
2014163528.tif 000004
【図３】
2014163528.tif 000005
【図４】
2014163528.tif 000006
【図５】
2014163528.tif 000007
【図６】
2014163528.tif 000008
【図７】
2014163528.tif 000009
【図８】
2014163528.tif 000010
【図９】
2014163528.tif 000011
【図１０】
2014163528.tif 000012
【図１１】
2014163528.tif 000013
【図１２】
2014163528.tif 000014